(57)【要約】【課題】  ナースコール用端末の移動や増設や変更が容易で、工期を短縮させたり工事費用を抑えることが可能なナースコール・システムを提供することにある。【解決手段】  無線通信が可能な、呼出しを必要とする者の近傍に配置されたナースコール用押しボタン、マットセンサー、廊下表示灯、復旧ボタン、トイレ・浴室用押しボタン、カメラ付きインターフォン等のナースコール用端末と、ナースコール用端末と無線を介して接続する無線中継器と、電話機と電話機との間の電話交換を行うシステム制御装置とを備え、ナースコール用端末が、無線中継器を介してシステム制御装置に接続されることを特徴とする。【選択図】図１
2012075093.tif 000002
【特許請求の範囲】
【請求項１】
病院、介護及び福祉の現場等で用いられるナースコール・システムにおいて、
無線通信が可能で呼出しを必要とする者の近傍に設けられたナースコール用端末と、
該ナースコール用端末と無線を介して接続する無線中継器と、
電話機と電話機との間の電話交換を行うシステム制御装置とを備え、
該ナースコール用端末が、該無線中継器を介して該システム制御装置に接続されることを特徴とするナースコール・システム。
【請求項２】
前記無線中継器と前記システム制御装置との間に、該無線中継器の信号を電話交換可能な音声信号又は及び映像信号に相互変換するメディア信号変換器を備え、
該ナースコール用端末が、該無線中継器及び該メディア信号変換器を介して該システム制御装置に接続されることを特徴とする請求項１記載のナースコール・システム。
【請求項３】
前記ナースコール用端末が、前記システム制御装置に接続された電話機や無線式電話機等のスタッフ側端末と同一レイヤで該システム制御装置に接続されることを特徴とする請求項１又は請求項２記載のナースコール・システム。
【請求項４】
前記ナースコール用端末と前記スタッフ側端末とが、通信又は及び通話可能なことを特徴とする請求項１〜請求項３のいずれかに記載のナースコール・システム。
【請求項５】
前記ナースコール用端末の無線回線方式として、ＰＨＳ方式、ＩＥＥＥ８０２．１５．４規格又は特定小電力無線方式を用いることを特徴とする請求項１〜請求項４のいずれかに記載のナースコール・システム。
【請求項６】
前記ナースコール用端末のナースコール用押しボタンの無線回線方式として、ＰＨＳ方式を用いることを特徴とする請求項１〜請求項５のいずれかに記載のナースコール・システム。
【請求項７】
前記ナースコール用端末が、電源コンセント端子又は及び電源コードを有し、該電源コンセント端子又は該電源コードから電力を供給されている状態で、利用者の周辺又は近傍で使用可能なことを特徴とする請求項１〜請求項６のいずれかに記載のナースコール・システム。
【請求項８】
前記ナースコール用端末が、内蔵する蓄電池の電力で動作することを特徴とする請求項１〜請求項７のいずれかに記載のナースコール・システム。
【発明の詳細な説明】
【技術分野】
【０００１】
本発明は、病院、介護及び福祉の現場等で用いられるナースコール・システムに関する。
【背景技術】
【０００２】
従来より、病院、介護及び福祉の現場等で、患者や利用者が医師や看護師を呼び出すためのシステムとして、ナースコール・システムが用いられている。例えば特許文献１に示されるようなナースコール・システムがある。特許文献１に示されるナースコール・システムは、患者が看護師を呼び出すために利用される握り押しボタンが、廊下灯を経由して有線でナースコール制御器に接続されている。そして、ナースコール制御器が有線でナースコール親機に接続され、ナースコール親機は、無線ＬＡＮで他の電話系に接続されている。すなわち、握り押しボタンから無線ＬＡＮまでの間は、有線で接続されている。
【０００３】
他の一般的な従来のナースコール・システムの例としては、図３に示すような構成を有している。従来の一般的なナースコール・システム６では、表示板状のナースコール親機６０に、各患者のベッド脇に設けられた押しボタン６４が個々に有線で接続されている。このナースコール親機６０は、例えばナースステーションに設置されており、患者が押しボタン６４を押すと、ナースコール親機６０の該当の表示が点灯して、押しボタン６４が押されたことを看護師が知ることになる。この押しボタン６４とナースコール親機６０との間の通信は、単に押しボタン６４が押されたことをナースコール親機６０に伝えるだけの一方向の情報の伝達である。
【０００４】
そして、特に看護師等のスタッフが構内用のＰＨＳ端末４２を使用できる環境がある場合には、ナースコール親機６０をナースコール制御機６２を介して、構内電話交換機（ＰＢＸ）であるハンディナースコール主装置６６に接続している。ナースコール制御機６２では、複数の押しボタン６４を一旦集約して取り込んだナースコール親機６０からの信号を、ハンディナースコール主装置６６で着呼可能な信号に変換している。ナースコール制御機６２は、あくまでも押しボタン６４が押されたという信号を一方的にハンディナースコール主装置６６に送っているのみで、双方向の通信が成り立つような機能は有していない。
【０００５】
ハンディナースコール主装置６６は、ナースコール制御機６２からの着呼すると、同報呼び出しのような方法で、システム制御装置１０に接続された構内端末用の無線中継器４０を介して、スタッフが所持するＰＨＳ端末４２に通報する。これにより、ナースコール親機６０の近傍に居ないスタッフが、押しボタン６４が押されたことを知ることになる。
【先行技術文献】
【特許文献】
【０００６】
【特許文献１】特開２００７−１１４３４号公報
【発明の概要】
【発明が解決しようとする課題】
【０００７】
しかしながら、従来のナースコール・システムでは、押しボタンからハンディナースコール主装置までの間が有線で接続されているため、押しボタンの配置を変更したり増やしたりする場合には、単に押しボタンを増やしたり位置を変えたりするだけでは済まず、関係する配線を含めて大がかりに変更等をする必要があり、システム構成の変更を柔軟に且つ費用を抑えて行うことが困難である。
【０００８】
また、従来のナースコール・システムは、ハンディナースコール主装置との接続を前提にしておらず、あくまでもナースコール親機で、押しボタンが押されたことを表示できることのみをその使命としていたため、複数の押しボタンを１つのナースコール親機で集約してから他に接続するといった独自の物理的レイヤを介してシステム制御装置に接続されることになり、ＰＨＳ端末のような特殊な物理的レイヤを持たずにシステム制御装置に接続できる機器と違って、通信プロトコルが複雑になり双方向の通信を行うことが困難である。
【０００９】
本発明は、このような事情に鑑みてなされたもので、ナースコール用端末の移動や増設や変更が容易で、工期を短縮させたり工事費用を抑えることが可能なナースコール・システムを提供することにある。
【課題を解決するための手段】
【００１０】
請求項１記載のナースコール・システムは、無線通信が可能で呼出しを必要とする者の近傍に設けられたナースコール用端末と、ナースコール用端末と無線を介して接続する無線中継器と、電話機と電話機との間の電話交換を行うシステム制御装置とを備え、ナースコール用端末が、無線中継器を介して該システム制御装置に接続されることを特徴とする。
【００１１】
請求項２記載のナースコール・システムは、無線中継器と前記システム制御装置との間に、無線中継器の信号を電話交換可能な音声信号又は及び映像信号に相互変換するメディア信号変換器を備え、ナースコール用端末が、無線中継器及び該メディア信号変換器を介してシステム制御装置に接続されることを特徴とする。
【００１２】
請求項３記載のナースコール・システムは、ナースコール用端末が、システム制御装置に接続された電話機や無線式電話機等のスタッフ側端末と同一レイヤでシステム制御装置に接続されることを特徴とする。
【００１３】
請求項４記載のナースコール・システムは、ナースコール用端末とスタッフ側端末とが、通信又は及び通話可能なことを特徴とする。
【００１４】
請求項５記載のナースコール・システムは、ナースコール用端末の無線回線方式として、ＰＨＳ方式、ＩＥＥＥ８０２．１５．４規格又は特定小電力無線方式を用いることを特徴とする。
【００１５】
請求項６記載のナースコール・システムは、ナースコール用端末のナースコール用押しボタンの無線回線方式として、ＰＨＳ方式を用いることを特徴とする。
【００１６】
請求項７記載のナースコール・システムは、ナースコール用端末が、電源コンセント端子又は及び電源コードを有し、電源コンセント端子又は電源コードから電力を供給されている状態で、利用者の周辺又は近傍で使用可能なことを特徴とする。
【００１７】
請求項８記載のナースコール・システムは、ナースコール用端末が、内蔵する蓄電池の電力で動作することを特徴とする。
【発明の効果】
【００１８】
請求項１及び請求項２の発明によれば、ナースコール用端末が無線通信可能で、ナースコール用端末が、無線中継器及びメディア信号変換器を介してシステム制御装置に接続されることから、ナースコール用端末の移動や増設や変更が容易で、工期を短縮させたり工事費用を抑えることが可能である。
【００１９】
請求項３の発明によれば、ナースコール用端末が、スタッフ側端末と同一レイヤでシステム制御装置に接続されることから、システム全体の構成を簡略化可能で、システムのトータルコストを抑えることが可能である。
【００２０】
請求項４の発明によれば、ナースコール用端末とスタッフ側端末とが、通信又は及び通話可能なことから、患者や施設利用者等とスタッフとのコミュニケーションを迅速に且つ正確に行うことができる。
【００２１】
請求項５の発明によれば、ナースコール用端末の無線回線方式として、ＰＨＳ方式を用いることで、ナースコール用端末の電波による他の機器への影響を抑えることができる。また、ナースコール用端末の無線回線方式として、ＩＥＥＥ８０２．１５．４規格を用いることで、多段の中継が可能で、より多くのナースコール用端末をシステム内に同時に収容することができる。さらに、特定小電力無線方式を用いることで、消費電力を抑えることが可能となる。
【００２２】
請求項６の発明によれば、ナースコール用端末のナースコール用押しボタンの無線回線方式として、ＰＨＳ方式を用いることで、ＰＨＳ端末のようなスタッフ側端末と直接通信や通話が可能となり、患者や施設利用者等とスタッフとのコミュニケーションを迅速に且つ正確に行うことができる。
【００２３】
請求項７の発明によれば、ナースコール用端末が、電源コンセント端子を有することで、ナースコール用端末を利用者の周辺の壁面にある電源コンセントに直接挿入して使用することになり、ナースコール用端末が壁面に固定され利用者の邪魔にならない位置に配置することが可能である。また、ナースコール用端末が、電源コードを有することで、電源コンセントが利用者から離れた位置にあっても、ナースコール用端末自体は利用者の近傍に配置することが可能となる。
【００２４】
請求項８の発明によれば、ナースコール用端末が、内蔵する蓄電池の電力で動作することから、電源コンセントが近くにない場合や、移動する利用者が身につける場合でも、ナースコール用端末を使用することができる。
【図面の簡単な説明】
【００２５】
【図１】本発明に係るナースコール・システムの構成の一例を示す構成図である。
【図２】同ナースコール・システムの拡張例を示す構成図である。
【図３】従来のナースコール・システムの構成を示す構成図である。
【発明を実施するための形態】
【００２６】
以下、本発明の形態について図面を参照しながら具体的に説明する。図１は、本発明に係るナースコール・システムの構成の一例を示す構成図である。図２は、同ナースコール・システムの拡張例を示す構成図である。
【００２７】
本発明の形態に係るナースコール・システム１は、病院、介護及び福祉の現場等で、患者や施設利用者が医師や看護師等のスタッフを呼び出すためのシステムである。ナースコール・システム１は、ナースコール用端末２０、無線中継器３０、メディア信号変換器３２、システム制御装置１０等から構成されている。
【００２８】
ナースコール用端末２０は、患者や施設利用者等の近傍に配置され、患者や施設利用者が医師や看護師等のスタッフを呼び出したり、患者や施設利用者等の異変を検知しスタッフに通知するための検知手段である。ナースコール用端末２０には、例えば、押しボタンスイッチ２２、マットセンサー２４がある。また、患者や施設利用者等が直接用いない物でも、患者や施設利用者等の近傍に設ける必要があるものとして、例えば廊下表示灯２６や復旧ボタン２８等もナースコール用端末２０とみなせる。また、患者や施設利用者等が行き来する共有スペースに設けられるナースコール用端末２０としては、トイレ・浴室用押しボタン等もある。さらに、患者や施設利用者等が病院や施設内で身につけるペンダント型などの押しボタンもナースコール用端末２０である。さらに、映像を授受できるナースコール用端末２０としては、例えば、カメラインターフォンもある。このように、ナースコール用端末２０とは、スタッフ側の端末（スタッフ側端末）ではなく、呼出しを必要とする患者や施設利用者等の近傍に設けられた患者や施設利用者等の側の端末全般である。そして、ナースコール用端末２０が用いる信号の内容としては、ボタンを押されたかどうかのＯＮ／ＯＦＦ情報、音声、映像等があり、その形態により制限されるものではない。
【００２９】
このナースコール用端末２０は、有線ではなく無線で情報のやりとりができる無線通信が可能な装置であり、病院や施設内に設けられた無線中継器３０と無線を介して接続可能に設けられている。
【００３０】
ナースコール用端末２０が接続する無線中継器３０は、メディア信号変換器３２を介して、システム制御装置１０に接続されている。システム制御装置１０は、接続された電話機１４と電話機１４との間の電話交換を行うもので、病院や施設では一般的に構内電話交換機（ＰＢＸ）であり、電話回線１２が接続されることで病院や施設の外とも通話が可能となるものである。そして、メディア信号変換器３２は、無線中継器３０の信号を、システム制御装置１０との間で電話交換可能な音声信号又は及び映像信号に相互変換するものである。尚、無線中継器３０とメディア信号変換器３２とが、同一の設けられたものでもよく、一体の方が機器スペースやコストを抑えることも可能となる。また、本実施の形態では、メディア信号変換器３２を記載しているが、ナースコール用端末２０とスタッフ側端末との間で通話を必要としない場合には、メディア信号変換器３２を用いなくてもいいケースもある。
【００３１】
システム制御装置１０には、メディア信号変換器３２の他、電話機１４やスタッフが所持するＰＨＳ端末４２と繋がる無線中継器４０が接続されている。電話機１４は、単に通話だけが可能ないわゆる黒電話的な電話機の他、通話以外の情報（映像を含む）の表示機能が備えられた多機能電話機であってもよい。電話機１４や無線中継器４０を介してＰＨＳ端末４２は、医師や看護師等が使用するスタッフ側端末である。スタッフ側端末としては、ＰＨＳ端末４２に限られるものではなく、携帯電話、無線選択呼出装置（ページャ）、スマートフォン、タブレットコンピュータ、ＰＤＡ（Personal Digital Assistants）等であってもよく、無線方式であれば、デジタル方式・デジタル方式の如何もとわない。尚、システム制御装置１０は、従来の有線式のナースコール・システムを接続することも可能である。
【００３２】
次に、ナースコール用端末２０の押しボタン２２の詳細を説明する。押しボタン２２は、無線通信が可能な端末で、例えば、本体部分からケーブルが伸び、そのケーブルの先端に握りボタンが設けられている。押しボタン２２の本体部分には、制御部や無線部の他、電源部も設けられている。電源部は、充電機能を有さずＡＣコンセントから直接電力の供給を受けて動作する形式や、乾電池で動作する形式や、蓄電池を有して予め充電された電力で動作するような構成にしてもよい。電源部とＡＣコンセントを接続する方法としては、押しボタン２２の本体部分から電源コードが伸びてＡＣコンセントに挿入される形式でもよいし、押しボタン２２の本体部分からＡＣコンセントに直接挿入される電源コンセント端子が突出するような形式でもよい。尚、電源コードには、ＡＣアダプターも含まれるものとする。ナースコール用端末２０を、内蔵する蓄電池の電力で動作させることで、電源コンセントが近くにない場合や、移動する利用者が身につける場合でも、ナースコール用端末２０を使用することができる。
【００３３】
また、ナースコール用端末２０と無線中継器３０との間の無線回線方式は、特にこだわるものではないが、ＰＨＳ方式やＩＥＥＥ８０２．１５．４規格や特定小電力無線方式（電波産業会標準規格  ＲＣＲ  ＳＴＤ−２０及び３１等）を用いることが好ましい。ＰＨＳ方式は、小型省電力の無線形式であり、ペースメーカー等の医療機器への影響の心配がない方式である。また、ＩＥＥＥ８０２．１５．４規格の無線回線方式は、小容量の制御・計測データを間欠的に送るネットワークに最適な無線形式である。さらに、特定小電力無線方式は、出力電力が低く抑えられていることから、消費電力を抑えることが可能である。さらに、無線ＬＡＮ方式（ＩＥＥＥ  ８０２．１１規格等）を用いることも可能である。
【００３４】
ナースコール用端末２０の押しボタン２２には、単にボタンを押されたらスタッフ側端末に押された旨を通報する通知機能だけではなく、双方向の通信や通話の機能を持たせることも可能である。具体的には、例えば、患者や施設利用者等が押しボタン２２を介して、スタッフからのメッセージを受け取れる表示手段を設けたり、スタッフと直接会話が可能なマイクやスピーカや、また映像をやりとりするカメラやモニタを設けることも可能である。
【００３５】
また、上述の押しボタン２２の会話が可能な例の別の態様として、ＰＨＳ端末４２が接続する無線中継器４０に対して接続可能なナースコール用端末２０であってもよい。この例が、呼出型押しボタン４４である。この呼出型押しボタン４４は、ＰＨＳ方式の無線通信が可能なものであり、ボタンを備えて、そのボタンを押すことで無線中継器４０を介してスタッフを呼び出すことができる他、スタッフ側端末との間で通話ができる機能を持たせることができる。呼出型押しボタン４４は、無線中継器４０を介することなくスタッフ側端末であるＰＨＳ端末４２を呼び出すことができたり、直接ＰＨＳ端末との間で通話ができるようにすることも可能である。尚、ＰＨＳ方式のＰＨＳ端末４２に限られるものではなく、ＣＤＭＡ方式や無線ＬＡＮ方式等の無線電話端末であってもよい。
【００３６】
このように、呼出型押しボタン４４もナースコール用端末２０の一形態として捉えることが可能で、上述の押しボタン２２と同様な電源部の構成にすることも可能である。すなわち、呼出型押しボタン４４の電源部を、充電機能を有さずＡＣコンセントから直接電力の供給を受けて動作する形式や、乾電池で動作する形式や、蓄電池を有して予め充電された電力で動作するような構成にしてもよい。電源部とＡＣコンセントを接続する方法としては、呼出型押しボタン４４の本体部分から電源コードが伸びてＡＣコンセントに挿入される形式でもよいし、呼出型押しボタン４４の本体部分からＡＣコンセントに直接挿入される電源コンセント端子が突出するような形式でもよい。尚、電源コードには、ＡＣアダプターも含まれるものとする。呼出型押しボタン４４を、内蔵する蓄電池の電力で動作させることで、電源コンセントが近くにない場合や、移動する利用者が身につける場合でも、呼出型押しボタン４４を使用することができる。押しボタン２２も呼出型押しボタン４４も、例えば、移動式のベッドや車椅子に装着して、移動しながらでも使用できる状態にすることも可能である。
【００３７】
以上のように、本発明の形態のナースコール・システム１によれば、ナースコール用端末２０が無線通信可能で、ナースコール用端末２０が、無線中継器３０及びメディア信号変換器３２を介してシステム制御装置１０に接続されることから、ナースコール用端末２０の移動や増設や変更が容易で、工期を短縮させたり工事費用を抑えることが可能である。より具体的には、配線工事が大幅に削減されると共に、従来であれば必要であったナースコール親機６０やナースコール制御機６２が不要になることで、システム全体のコストを大幅に抑えることが可能になる。
【００３８】
また、ナースコール用端末２０が、スタッフ側端末と同一レイヤでシステム制御装置１０に接続されることから、システム全体の構成を簡略化可能で、システムのトータルコストを抑えることが可能である。従来のシステムでは、システム制御装置１０との接続を前提にしておらず、あくまでもナースコール親機６０で、押しボタン６４が押されたことを表示できることのみをその使命としていたため、複数の押しボタン６４を１つのナースコール親機６０で集約してから他に接続するといった独自の物理的レイヤを介してシステム制御装置１０に接続されることになり、ＰＨＳ端末４２のような特殊な物理的レイヤを持たずにシステム制御装置１０に接続できる機器と違って、通信プロトコルが複雑になり双方向の通信を行うことが困難であり、コストも上昇してしまっていた。さらに、ナースコール用端末２０が、スタッフ側端末と同一レイヤでシステム制御装置１０に接続されることで、複数の電話機１４やＰＨＳ端末４２への同時呼出を容易に行うことも可能になる。
【００３９】
さらに、ナースコール用端末２０とスタッフ側端末とが、通信又は及び通話可能なことから、患者や施設利用者等とスタッフとのコミュニケーションを迅速に且つ正確に行うことができる。特に、ナースコール用端末２０が、スタッフ側端末と同一レイヤでシステム制御装置１０に接続されることから、通信プロトコル上の制約がなくなり、押しボタン２２のようなナースコール用端末２０とＰＨＳ端末４２との間で、直接通信が可能となる。より具体的には、押しボタン２２のボタンを押すことで、予め定められた特定のＰＨＳ端末４２を呼び出して会話することが可能なったり、逆にＰＨＳ端末４２の方から、特定の押しボタン２２を呼び出して通話をすることも可能となる。さらに、呼出型押しボタン４４であれば、押しボタン２２の効果に加え、無線中継器４０を介することなくＰＨＳ端末４２への呼び出しや通話が可能で、自由度の高い利用が可能となる。特に、自営標準仕様を満たす系にすることで、あらゆるメーカのシステム制御装置１０や無線中継器４０を用いることが可能となり、汎用性が一段と向上する。
【００４０】
さらに、ナースコール用端末２０の無線回線方式として、ＰＨＳ方式を用いることで、ナースコール用端末２０の電波による他の機器への影響を抑えることができる。また、ナースコール用端末２０の無線回線方式として、ＩＥＥＥ８０２．１５．４規格を用いることで、多段の中継が可能で、より多くのナースコール用端末２０をシステム内に同時に収容することができる。より具体的には、ＩＥＥＥ８０２．１５．４規格は、無線中継器３０を親機として設置し、さらに中継器（ルーター）を設けることでクラスターツリー方式で何段にも構成可能である。このため、病院や施設が複数階に及び電波を遮りやすい鉄骨や鉄筋であっても、中継器（ルーター）を効率的に配置することで、建物全体として１つの系を構築することができるようになる。さらに、特定小電力無線方式を用いることで、消費電力を抑えることが可能で、特に乾電池や蓄電池で動作する形態に適している。
【００４１】
さらに、ナースコール用端末２０が、電源コンセント端子を有することで、ナースコール用端末２０を利用者の周辺の壁面にある電源コンセントに直接挿入して使用することになり、ナースコール用端末２０が壁面に固定され利用者の邪魔にならない位置に配置することが可能である。また、ナースコール用端末２０が、電源コードを有することで、電源コンセントが利用者から離れた位置にあっても、ナースコール用端末２０自体は利用者の近傍に配置することが可能となる。
【００４２】
尚、システム制御装置１０には、他の機能を付加することも可能であり、図２は、同ナースコール・システムの拡張例を示す構成図である。図２に示すナースコール・システム２では、システム制御装置１０に、防災システム５０、入退出管理システム５２、防犯監視カメラシステム５４が、接続されている。防災システム５０は、火災報知器やガス漏れ検知機等を備え、火災やガス漏れの発生の際に警報を発するシステムである。ナースコール・システム２に、防災システム５０を備えることで、火災やガス漏れ等をスタッフ側端末と共にナースコール用端末２０に一斉に知らせることができる。入退室監視システム５２は、スタッフが病院や施設等に出勤してきた管理や、患者や施設利用者等の入退室の管理や、外来者の入退出の管理を行うものである。防犯監視カメラシステム５４は、監視カメラや不法侵入監視センサ等により不審者を発見し、不審者の侵入の警報を発するシステムである。このように、ナースコール・システム２によれば、スタッフだけでなく患者や施設利用者等にも同時に情報を提供する必要がある場合に、有効である。
【００４３】
本実施の形態では、病院、介護及び福祉の現場等で、患者や施設利用者が医師や看護師等のスタッフを呼び出すためのシステムとしてのナースコール・システムについて説明したが、ナースコール・システム１，２は、医療や介護の現場だけではなく、１つの工場や事業所やビル等の構内で、個の呼び出しや通話が必要な系においても適用可能である。
【産業上の利用可能性】
【００４４】
以上のように、本発明によれば、ナースコール用端末の移動や増設や変更が容易で、工期を短縮させたり工事費用を抑えることが可能なナースコール・システムを提供することができ、１つの工場や事業所やビル等の構内で、個の呼び出しや通話が必要な系においても適用可能である。
【符号の説明】
【００４５】
１・・・・ナースコール・システム
２・・・・ナースコール・システム
１０・・・システム制御装置
１２・・・電話回線
１４・・・電話機
２０・・・ナースコール用端末
２２・・・押しボタン
２４・・・マットセンサー
２６・・・廊下表示灯
２８・・・復旧ボタン
３０・・・無線中継器
３２・・・メディア信号変換器
４０・・・無線中継器
４２・・・ＰＨＳ端末
４４・・・呼出型押しボタン
５０・・・防災システム
５２・・・入退室管理システム
５４・・・防犯監視カメラシステム
【図１】
2012075093.tif 000003
【図２】
2012075093.tif 000004
【図３】
2012075093.tif 000005